(57)【要約】 【課題】  光ディスクを手動操作にて良好に取り出しできるディスクドライブを提供する。【解決手段】  ケース体の正面の窓部から進退させるディスクトレイ５０のラッチ５１ｄ１に係合する移動ギヤ６３に、幅方向で移動する状態に移動カム６８を係合させる。移動カム６８に、光ディスクを処理する本体部を、ディスクトレイ５０の進退移動に対応して上下方向に回動する状態に係合させる。ホームポジションに対応する移動カム６８の端面に対向するケース体の側面に、治具８０を押し込み操作にて移動カム６８を移動可能とする側面操作開口部を設けるとともに、枠体１５の対応する位置に貫通操作開口を穿設する。手動操作のための別部材が不要で容易な操作で手動による取り出しができる。【選択図】 図９
2006114138.tif 000002
【特許請求の範囲】
【請求項１】
開口部を有したケース体と、このケース体に設けられ前記開口部を介して被搬送物を前記ケース体内外へ搬送する搬送部と、前記ケース体内に搬送された前記被搬送物を処理する処理部と、を具備した処理装置であって、
前記搬送部は、駆動手段と、この駆動手段の駆動により前記開口部を介して前記被搬送物を前記ケース体内外へ搬送する搬送手段と、前記駆動手段により移動され前記処理部が前記被搬送物を処理する処理位置およびこの処理位置から後退した後退位置間で前記処理部を移動させるとともに、前記被搬送物が前記処理部にて処理される搬入位置から前記開口部側へ前記搬送手段を移動させる移動体と、を備え、
前記ケース体は、前記処理部を前記後退位置から前記処理位置へ移動させる前記移動体の移動方向における先端部に対向する位置に、前記処理部を前記処理位置から前記後退位置へ移動させる前記移動体の移動方向へ前記移動体を移動させる治具が挿入可能な操作開口部を有した
ことを特徴とした処理装置。
【請求項２】
請求項１に記載の処理装置であって、
前記操作開口部は、前記処理位置に略位置した前記移動体の先端部に対向する位置に設けられた
ことを特徴とした処理装置。
【請求項３】
請求項１または請求項２に記載の処理装置であって、
前記操作開口部は、前記移動体の移動方向に沿った延長線上で前記移動体の先端部に対向する位置に設けられた
ことを特徴とした処理装置。
【請求項４】
請求項１ないし請求項３のいずれかに記載の処理装置であって、
前記移動体の先端部は、凹曲面上で前記操作開口部から挿入される前記治具の先端部が係合される係合凹部を有した
ことを特徴とした処理装置。
【請求項５】
請求項１または請求項２に記載の処理装置であって、
前記操作開口部は、前記移動体の移動方向に対して交差する方向に沿って前記移動体の先端部に対向する位置に設けられた
ことを特徴とした処理装置。
【請求項６】
請求項５に記載の処理装置であって、
前記操作開口部は、挿入される前記治具の先端部が前記移動体の先端部に当接されて前記処理部の前記後退位置への移動に対応した前記移動体の移動方向へ移動させる状態に回動操作可能に形成された
ことを特徴とした処理装置。
【請求項７】
請求項５または請求項６に記載の処理装置であって、
前記操作開口部は、前記移動体の移動方向に沿って長手状に形成された
ことを特徴とした処理装置。
【請求項８】
請求項５ないし請求項７のいずれかに記載の処理装置であって、
前記操作開口部の開口縁に連続して略筒状に設けられた操作ガイド部を具備した
ことを特徴とした処理装置。
【請求項９】
請求項１ないし請求項８のいずれかに記載の処理装置であって、
前記搬送手段は、前記被搬送物を保持して進退移動可能に前記ケース体内に配設され、進退移動方向に沿ったラッチを有した搬送体を備え、
前記搬送手段の駆動手段は、電動モータおよびこの電動モータの駆動により回転し前記ラッチに係合する回転ギヤを有し、
前記移動体は、前記回転ギヤに係脱可能に係合するとともに前記搬送体および前記処理部に係合され、前記回転ギヤの回転により略直線的に移動され、前記搬送体が前記ケース体内に後退した収納位置および少なくとも一部が進出する状態間で移動する移動状況に対応して前記処理部を前記処理位置および前記後退位置間で移動させるリンク機構を備えた
ことを特徴とした処理装置。
【請求項１０】
請求項１ないし請求項９のいずれかに記載の処理装置であって、
前記搬送手段は、前記被搬送物としてディスク状記録媒体を径方向に沿って搬送し、
前記処理部は、搬送された前記ディスク状記録媒体に記録された情報の読取処理および前記ディスク状記録媒体に情報を記録する記録処理のうちの少なくともいずれか一方を実施し、
前記移動体は、前記ディスク状記録媒体が前記ケース体内に搬送された搬入位置で前記ディスク状記録媒体に対向して前記処理位置に前記処理部を移動させ、前記ディスク状記録媒体が前記搬入位置から前記開口部側へ搬送される際に前記ディスク状記録媒体から離間する前記後退位置に前記処理部を移動させるリンク機構を備えた
ことを特徴とした処理装置。
【請求項１１】
請求項９または請求項１０に記載の処理装置であって、
前記ケース体は、略矩形状に形成されて正面に前記開口部を有し、
前記移動体は、前記被搬送物が前記開口部を介して搬送される搬送方向および前記処理部が前記処理位置および前記後退位置間で移動される移動方向の双方向に対してそれぞれ交差する方向に略直線状に移動され、
前記操作開口部は、前記ケース体の開口部が設けられた面と異なる面に設けられた
ことを特徴とした処理装置。
【請求項１２】
請求項１１に記載の処理装置であって、
前記ケース体内に回動可能に配設され、回動により前記移動体を移動させる回動操作部を具備し、
前記ケース体は、前記開口部が設けられた面に、前記回動操作部を回動させる操作治具が挿入可能な第２の操作開口部を有した
ことを特徴とした処理装置。
【発明の詳細な説明】
【技術分野】
【０００１】
本発明は、搬送部により着脱可能に被搬送物をケース体内外へ搬送し処理部にて処理する処理装置に関する。
【背景技術】
【０００２】
従来、例えばＣＤ（Compact Disc）やＤＶＤ（Digital Versatile Disc）、ＨＤ（Hard Disk）などのディスク状記録媒体やテープ状記録媒体などの着脱可能に装着される記録媒体に記録された情報を適宜読み出し、あるいは記録媒体に情報を記録する処理をする処理装置が広く利用されている。このような処理装置として、記録媒体を処理装置内外へ搬送する搬送装置と、例えば電力の供給の停止や衝撃などの異常動作などにより搬送装置が動作しない状態でも処理装置内に搬送された記録媒体を排出させる排出機構とを備えた構成が知られている（例えば、特許文献１参照）。
【０００３】
この特許文献１に記載のものは、テープデッキの底面に、ローディング駆動部およびキャプスタン駆動部に対応する箇所に、回動操作用開口部を穿設している。そして、回動操作用開口部に棒状の治具を挿入し、ローディング駆動部のローディングプーリの近傍箇所に設けられた突起や、キャプスタン駆動部のキャプスタンモータのプーリを、治具の先端で強制的にテープを取り出しできる方向に回動させ、テープを取り出す構成が採られている。
【０００４】
【特許文献１】特開２０００−２０７７９９号公報（第２頁右欄−第３頁左欄）
【発明の開示】
【発明が解決しようとする課題】
【０００５】
しかしながら、上述した特許文献１に記載のような従来の構成では、内部状況が確認できないローディングプーリやキャプスタンモータのプーリを治具の先端で回動させるので、操作が煩雑である。そして、治具の回動操作を容易とするために回動操作用開口部の開口面積を大きくしたのでは、塵埃などが内部に侵入しやすくなり、塵埃により誤作動や損傷が生じたり、開口面積が広くなったことにより治具にて他の部位を操作しやすくなって他の部位を損傷させたり、するなどの不都合を生じるおそれがある問題点が一例として挙げられる。
【０００６】
本発明の目的は、このような問題点などに鑑みて、装着される被搬送物の手動による取り出しが容易な処理装置を提供することである。
【課題を解決するための手段】
【０００７】
請求項１に記載の発明は、開口部を有したケース体と、このケース体に設けられ前記開口部を介して被搬送物を前記ケース体内外へ搬送する搬送部と、前記ケース体内に搬送された前記被搬送物を処理する処理部と、を具備した処理装置であって、前記搬送部は、駆動手段と、この駆動手段の駆動により前記開口部を介して前記被搬送物を前記ケース体内外へ搬送する搬送手段と、前記駆動手段により移動され前記処理部が前記被搬送物を処理する処理位置およびこの処理位置から後退した後退位置間で前記処理部を移動させるとともに、前記被搬送物が前記処理部にて処理される搬入位置から前記開口部側へ前記搬送手段を移動させる移動体と、を備え、前記ケース体は、前記処理部を前記後退位置から前記処理位置へ移動させる前記移動体の移動方向における先端部に対向する位置に、前記処理部を前記処理位置から前記後退位置へ移動させる前記移動体の移動方向へ前記移動体を移動させる治具が挿入可能な操作開口部を有したことを特徴とした処理装置である。
【発明を実施するための最良の形態】
【０００８】
以下、本発明の実施の一形態を図面に基づいて説明する。本実施の形態では、被搬送物であるディスク状記録媒体としての光ディスクに情報を記録および読み出す処理装置であるディスク装置としてのディスクドライブを例示して説明するが、例えば携帯型のディスク装置やディスクドライブを備えた例えば映像データの録画などの記録や再生のための処理をする再生装置、記録装置あるいはゲーム機など、光ディスクに限らず、磁気ディスク、光磁気ディスクなどのいずれのディスク状記録媒体に各種情報を記録あるいは読み出すいずれのディスク装置を対象とすることができる。また、ディスク状記録媒体の平面が略水平方向に沿って装着される利用形態で説明するが、平面が略鉛直方向に沿って装着される利用形態でも適用できる。さらに、ディスク状記録媒体を搬送するディスクトレイを備えた構成を例示するが、ディスクトレイを備えないいわゆるスロットインタイプのディスクドライブやスリムドライブなどローディング時に移動体により処理部が移動されるローディング機構を備えた各種構成も適用できる。また、被搬送物としては、ディスク状記録媒体に限らず、例えば、外周面に記録面を有した円筒状の記録媒体などディスク状の記録媒体に限られない。また、処理装置としては、記録媒体に情報を記録あるいは読み出す処理に限らず、被搬送物としての例えば加工物を処理部としての加工部に搬送して加工させる処理など、いずれの処理を実施する装置に適用できる。
【０００９】
〔ディスクドライブの構造〕
図１は、本実施の形態のディスクドライブの構成を示す分解斜視図である。図２は、開閉駆動手段が配設された枠体およびディスクトレイを示す分解斜視図である。図３は、開閉駆動手段が配設された枠体をディスクトレイとの関係で示す平面図である。図４は、弾性規制部に係合凹部が係合した状態の一部を切り欠いた平面図である。図５は、開閉駆動手段が配設された枠体およびディスクトレイの弾性ガイド部近傍を示す一部を切り欠いた分解斜視図である。図６は、開閉駆動手段が配設された枠体をディスクトレイとの関係で弾性ガイド部近傍を示す一部を切り欠いた平面図である。図７は、弾性ガイド部の第１の係合凹溝部内に係合された状態を示す説明図である。図８は、回動操作部が配設された枠体を示す平面図である。図９は、側面操作開口部から挿入した治具にて移動カムを移動させる操作状況を説明する開閉駆動手段が配設された枠体を示す平面図である。図１０は、底面操作開口部から挿入した治具にて移動カムを移動させる操作状況を説明する開閉駆動手段が配設されたディスクドライブを示す一部を切り欠いた正面図である。
【００１０】
図１において、１００はディスクドライブで、このディスクドライブ１００は、金属製のケース体１０を有している。このケース体１０は、下面および前面が２面に亘って開口する上ケース１１と、この上ケース１１の下面を閉塞する下ケース１２と、上ケース１１の正面となる前面を閉塞する化粧板１３とを有し、略矩形状に構成されている。
【００１１】
そして、上ケース１１は、長方形平板状の天板部１１ａと、天板部１１ａの長手方向の両側縁に略垂直で一連に折曲形成された側板部１１ｂと、天板部１１ａの長手方向の後端部となる一端縁に側板部１１ｂと同方向に略垂直で一連に折曲形成された図示しない端板部とにより、下面および前面を開口して形成されている。この上ケース１１の側板部１１ｂの下端縁には、複数箇所、例えば２箇所内方に向けて折曲形成され図示しないねじ孔が穿設された取付片部１１ｄが設けられている。さらに、上ケース１１の一方、例えば図１における左側の側板部１１ｂには、前側に変位した位置に、略円形に穿設された図示しない操作開口部としての側面操作開口部が設けられている。
【００１２】
また、下ケース１２は、上ケース１１の天板部１１ａと略同形状の長方形平板状に形成されている。この下ケース１２には、天板部１１ａの取付片部１１ｄに対応して上方に向けて膨出するように屈曲され、ねじ孔１２ａが穿設された取付ダボ１２ｂが設けられている。さらに、下ケース１２には、上ケース１１の側面操作開口部に前後方向で対応した前側で長手方向である前後方向の一側に変位した位置に、幅方向に長手状の操作開口部としての底面操作開口部１２ｃが開口形成されている。この底面操作開口部１２ｃは、長手方向の両側縁が略平行で長手方向の両端縁が略円弧状のいわゆる小判形状に形成されている。
【００１３】
さらに、化粧板１３は、例えばアクリロニトリル−ブタジエン−スチレン（ＡＢＳ；Acrylonitrile-Butadiene-Styrene）などの合成樹脂製の略板状に形成されている。この化粧板１３には、一面に略垂直に突出され、先端部にそれぞれ上ケース１１の側板部１１ｂおよび下ケース１２に係脱可能に係合する図示しない係合爪部が突設されている。また、化粧板１３には、長手方向となる左右方向に長手状の開口部としての窓部１３ａが開口形成されている。さらに、化粧板１３には、スイッチ操作部１３ｂと、動作確認窓１３ｃと、略円形に穿設された第２の操作開口部としての正面操作開口部１３ｄと、が設けられている。
【００１４】
また、ケース体１０は、剛性および絶縁性を有し弾性変形可能な部材である例えばＡＢＳなどの合成樹脂製の枠体１５を備えている。この枠体１５は、上ケース１１、下ケース１２および化粧板１３とにてケース体１０を構成し、内部に収容空間１８を区画形成する。そして、枠体１５は、図１ないし図３に示すように、上ケース１１の側板部１１ｂの内面に密着する側面部１５ａと、上ケース１１の端板部の内面に密着する端面部１５ｂと、側面部１５ａおよび端面部１５ｂの内面側に内方に向けて突出する支持リブ１５ｃと、側面部１５ａの端面部１５ｂと反対側である前面側の端部に架橋するように設けられた開閉駆動配設部１５ｄとを有し、軸方向の両端面を開口する略長方形枠状に形成されている。また、枠体１５の側面部１５ａには、上ケース１１の取付片部１１ｄおよび下ケース１２の取付ダボ１２ｂ間に挾持されてねじ止めされる取付リブ部１５ｅが設けられている。さらに、枠体１５の一方、例えば図１ないし図３における左側の側面部１５ａには、上ケース１１の側面操作開口部に対応する位置に略同形状である円形に図示しない操作開口部としての貫通操作開口が穿設されている。すなわち、上ケース１１の側面操作開口部および貫通操作開口は、ケース体１０の幅方向で対向して連通する状態に設けられている。
【００１５】
さらに、枠体１５の支持リブ１５ｃには、案内リブ１５ｆ１，１５ｆ２が複数突設されている。これら案内リブ１５ｆ１，１５ｆ２は、枠体１５の側面部１５ａから内方に向けて突出する部分の支持リブ１５ｃに、枠体１５の長手方向である前後方向に沿って直線状に位置する状態にそれぞれ直列状に複数突設されている。そして、これら案内リブ１５ｆ１，１５ｆ２は、枠体１５の幅方向での間隔が所定の距離となる状態に配設されている。そして、案内リブ１５ｆ１は、前側である開閉駆動配設部１５ｄに向けて次第に幅狭となる平面視で涙粒状の柱状に所定の高さ寸法で突設されている。さらに、案内リブ１５ｆ２は、前後方向に細長壁状で突出する先端縁が略円弧状となるように、案内リブ１５ｆ１より低い所定の高さ寸法で突設されている。
【００１６】
また、端面部１５ｂ側の基端部で枠体１５の長手方向である前後方向の一側（図２および図３における右側）に位置して、係合部としても機能し得る係止部としての弾性規制部１５ｇが突設されている。この弾性規制部１５ｇは、図２ないし図４に示すように、枠体１５に一連に形成され、軸方向が支持リブ１５ｃの厚さ方向すなわち支持リブ１５ｃにて構成される平面に対して略垂直に突出する状態に、外周面が略円柱状すなわち略円筒状に形成されている。さらに、弾性規制部１５ｇは、周方向に略均等に３分割されて３つの弾性片部１５ｇ１を有している。これら弾性片部１５ｇ１は互いに近接する方向に弾性変形可能で、これらの弾性片部１５ｇ１の弾性変形により弾性規制部１５ｇは縮径可能に形成されている。そして、弾性規制部１５ｇは、これら弾性片部１５ｇ１のうちの一片部である１つの弾性片部１５ｇ１が前側に位置する開閉駆動配設部１５ｄに略対向する状態に分割形成されている。すなわち、後述するディスクトレイ５０の後退移動の先端部に対向する状態に分割形成されている。なお、弾性規制部１５ｇは、枠体１５に一体成形されていることから、先端に従って径寸法が小さくなる先細り状態に抜きテーパが設けられている。
【００１７】
また、枠体１５の開閉駆動配設部１５ｄには、枠体１５の長手方向の他側（図２および図３における左側）に位置して、かつ案内リブ１５ｆ１と直列状となる位置に、弾性ガイド部１５ｈが枠体１５から一連に突設されている。この弾性ガイド部１５ｈは、図２、図３および図５ないし図７に示すように、枠体１５の長手方向に沿って長手壁状に形成され、長手方向の中間部で開閉駆動配設部１５ｄとの基端部に長手状の駆動伝達貫通孔１６が開口形成されたブリッジ状に形成されている。すなわち、弾性ガイド部１５ｈは、開閉駆動配設部１５ｄに略垂直に突出し枠体１５の長手方向に対向する状態に一対設けられた支持脚部１５ｈ１と、これら支持脚部１５ｈ１の先端部間に架橋する状態に設けられ厚さ方向である枠体１５の幅方向に弾性変形可能な帯状の弾性部１５ｈ２とを有している。そして、支持脚部１５ｈ１先端部には、枠体１５の長手方向に対して交差する幅方向となる左右方向の一側である右側に向けて膨出する状態に第１の膨出部１５ｈ３がそれぞれ設けられている。また、弾性部１５ｈ２の略中央には、枠体１５の長手方向に対して他面である左側となる第１の膨出部１５ｈ３が膨出する方向と反対に向けて膨出する第２の膨出部１５ｈ４が設けられている。
【００１８】
さらに、枠体１５の側面部１５ａには、内方に向けて突出する規制爪部１５ｉがそれぞれ突設されている。これら規制爪部１５ｉは、支持リブ１５ｃに対向する下面がディスクトレイ５０の進退方向で曲面状に中央が膨出する状態に形成されている。そして、規制爪部１５ｉは、下面の先端と、枠体１５の支持リブ１５ｃの上面との間の距離が所定の間隔となる状態に複数突設されている。そして、これら規制爪部１５ｉのうちの少なくとも１つは、弾性ガイド部１５ｈに近接する位置、すなわち枠体１５の幅方向における弾性ガイド部１５ｈの一側に位置する状態に設けられている。
【００１９】
また、この枠体１５には、処理部としての本体部２０が配設されている。この本体部２０は、例えば金属製の平板枠状に形成された台座部２１を有している。この台座部２１は、枠体１５の端面部１５ｂから突出する支持リブ１５ｃに一縁が上下方向に回動可能に他縁がねじ止めされて取り付けられている。この台座部２１の一縁には、回動案内部２２が一体的に取り付けられている。この回動案内部２２は、台座部２１が一体的にねじにて取り付けられる台座部２１の一縁に沿って長手状の取付保持部２２ａと、この取付保持部２２ａの長手方向の両端部に略垂直に一体的に突設され先端が枠体１５の側面部１５ａから突出する支持リブ１５ｃに回動可能に軸支される一対の回動腕部２２ｂとを有している。そして、台座部２１は、回動案内部２２により、回動が案内される。
【００２０】
さらに、台座部２１には、回動する一縁側に位置して回転駆動部としてのディスク回転駆動手段２５が配設されている。このディスク回転駆動手段２５は、例えばスピンドルモータなどの回転用電動モータ２６と、この回転用電動モータ２６の図示しない出力軸に一体的に設けられた一方の挾持部材としてのターンテーブル２７とを有している。このターンテーブル２７は、光ディスク２００の中心に開口形成された軸孔２１０に嵌挿する略円柱状の回転軸２７ａと、この回転軸２７ａの外周面にフランジ状に突設され光ディスク２００の軸孔２１０の周縁が載置される鍔部２７ｂとを有している。そして、ターンテーブル２７の回転軸２７ａの先端部には、図示しない磁石が埋設されている。
【００２１】
また、台座部２１には、処理移動手段３０が配設されている。この処理移動手段３０は、一対のガイドシャフト３１および移動用電動モータ３２を備えている。そして、一対のガイドシャフト３１は、台座部２１の軸支された他縁から回動側の一縁へ向けた方向に軸方向を有して配設されている。さらに、移動用電動モータ３２は、図示しない出力軸の軸方向がガイドシャフト３１の軸方向に沿う状態で配設されている。この移動用電動モータ３２の出力軸の外周面には、螺旋状に図示しない係合溝が設けられている。
【００２２】
さらに、処理移動手段３０には、記録再生手段４０が配設されている。この記録再生手段４０は、一対のガイドシャフト３１に架橋する状態で保持された移動保持部４１を有している。この移動保持部４１には、ガイドシャフト３１を移動可能に嵌挿する図示しない保持部と移動用電動モータ３２の出力軸の係合溝に係合する図示しない移動規制爪部が設けられている。また、記録再生手段４０の移動保持部４１には、図示しない光源と、この光源からの光を収束するレンズと、光ディスク２００から反射された光を検出する図示しない光センサとを備えたピックアップ４２が配設されている。
【００２３】
また、枠体１５には、この枠体１５の内側に支持リブ１５ｃの上方側で水平方向に進退可能に移動する搬送体としてのディスクトレイ５０が配設されている。このディスクトレイ５０は、図１ないし図３に示すように、例えば合成樹脂にて略長方形板状に形成されたトレイであるトレイ部５１を有している。そして、トレイ部５１の一面には、上方に向けて拡開する略円形凹状で光ディスク２００が載置可能な平面部である平面を有し光ディスク２００を収容する載置凹部５１ａが設けられている。また、トレイ部５１には、載置凹部５１ａの略中央から外周縁に亘って本体部２０のディスク回転駆動手段２５および記録再生手段４０に対応して開口し、移動するピックアップ４２が接触することなく進入可能にトレイ部５１の長手方向に沿って長手状に切り欠かれた開口部５１ｂが切欠形成されている。この開口部５１ｂは、収容空間１８に収容された光ディスク２００の最外周に記録された情報を読み取りあるいは最外周の位置に情報を記録する際にピックアップ４２が光ディスク２００の最外周に対応して位置してもトレイ部５１に当接しないように載置凹部５１ａの径方向でかつ長手方向に沿った長手状に切欠形成されている。そして、このトレイ部５１の長手方向の前側となる一縁には、化粧板１３と同材質にて形成され、ケース体１０の化粧板１３の窓部１３ａを閉塞する長手板状の窓閉塞板部５２が着脱可能に取り付けられている。
【００２４】
さらに、トレイ部５１の長手方向の両側部には、下端縁から側方に向けてフランジ状に突出するガイド鍔部５１ｃがそれぞれ設けられている。これらガイド鍔部５１ｃの先端間となるトレイ部５１の幅寸法は、枠体１５の側面部１５ａの内面間の幅寸法と略同等もしくは若干幅狭に形成されている。
【００２５】
さらに、トレイ部５１の裏面となる載置凹部５１ａが設けられた面と反対側の面に、長手方向の他側（図２および図３における左側）に位置して長手方向に沿った裏面側である下方に向けて開口する第１の係合凹溝部５１ｃ１が設けられている。この第１の係合凹溝部５１ｃ１は、図２ないし図４、図６および図７に示すように、ディスクトレイ５０の後端部で開口する状態、すなわちディスクトレイ５０が進退する際に、案内リブ１５ｆ１が端部の開口から係脱する状態となっている。この第１の係合凹溝部５１ｃ１の幅寸法は、枠体１５の弾性ガイド部１５ｈの第１の膨出部１５ｈ３の先端間を結ぶ直線と第２の膨出部１５ｈ４との距離である幅寸法より幅狭で、かつ、案内リブ１５ｆ１の幅寸法と略同寸法もしくは若干幅広に形成されている。そして、弾性ガイド部１５ｈの中央部が第１の膨出部１５ｈ３の突出側に湾曲する状態に幅狭に弾性変形され、第１の膨出部１５ｈ３および第２の膨出部１５ｈ４の先端部が第１の係合凹溝部５１ｃ１の内壁面に幅方向で押し広げる状態に弾性変形による復元力が作用して摺接する状態に弾性ガイド部１５ｈが第１の係合凹溝部５１ｃ１内に係合される。さらに、第１の係合凹溝部５１ｃ１には、枠体１５の案内リブ１５ｆ１がディスクトレイ５０の進退移動で係脱可能に係合される。これらにより、ディスクトレイ５０はがたつきなく移動可能に案内される。なお、第１の係合凹部５１ｃ１は、ディスクトレイ５０がケース体１０内に後退されて搬入し、光ディスク２００を処理する処理位置であるいわゆるホームポジションの位置で、弾性ガイド部１５ｈの第２の膨出部１５ｈ４が係合し弾性変形が解除され、弾性ガイド部１５ｈのクリープ変形を抑制可能に構成されている。
【００２６】
また、トレイ部５１の裏面には、長手方向の一側に位置して長手方向に沿った裏面側である下方に向けて開口し第１の係合凹溝部５１ｃ１と略平行な第２の係合凹溝部５１ｃ２が設けられている。この第２の係合凹溝部５１ｃ２は、第１の係合凹溝部５１ｃ１と同様に、ディスクトレイ５０の後端部で開口する状態、すなわちディスクトレイ５０が進退する際に、案内リブ１５ｆ１と反対側に位置する案内リブ１５ｆ２が端部の開口から係脱する状態となっている。この第２の係合凹溝部５１ｃ２は、案内リブ１５ｆ２の幅寸法と略同寸法もしくは略幅広に形成されている。そして、第２の係合凹溝部５１ｃ２には、案内リブ１５ｆ２がディスクトレイ５０の進退移動で係脱可能に係合され、ディスクトレイ５０はがたつきなく移動可能に案内される。
【００２７】
さらに、トレイ部５１の裏面には、第１の係合凹溝部５１ｃ１の開口縁に沿って長手方向に沿った壁状にガイドリブ５１ｄが設けられている。そして、このガイドリブ５１ｄの内面側には、第１の係合凹溝部５１ｃ１の下方に位置する状態で第１の係合凹溝部５１ｃ１の下方に位置しない状態に、長手方向に沿ったラッチ５１ｄ１が設けられている。また、ガイドリブ５１ｄの外面側は、案内リブ１５ｆ１側の案内リブ１５ｆ２が摺接可能に形成されている。さらに、トレイ部５１の裏面には、長手方向で適宜屈曲する状態に裏面側である下方に向けて開口する第３の係合凹溝部５１ｃ３が設けられている。
【００２８】
また、トレイ部５１の長手方向の後側となる他端縁で長手方向の一側（図２および図３における右側）、すなわちディスクトレイ５０が後退移動する際の先端部分となる後端面には、係止部としても機能し得る係合部としての係合凹部５１ｅが切欠形成されている。この係合凹部５１ｅは、図２ないし図４に示すように、後方に向けて凹状でかつトレイ部５１の厚さ方向に軸方向を有する状態に厚さ方向で同形状となる凹溝状に形成されている。また、この係合凹部５１ｅは、弾性規制部の径寸法より幅狭でかつ弾性片部１５ｇ１の先端が接触する状態に弾性変形した状態での径寸法より幅広で、弾性規制部１５ｇの外周面に対応する略半円状の凹面を有している。さらには、係合凹部５１ｅの開口縁は、後方に向けて拡開する状態に円弧状に形成されている。なお、図４は、ディスクトレイ５０が移動される進退方向および直交する幅方向の移動方向での移動における、弾性規制部１５ｇが吸収する力を矢印で示している。
【００２９】
そして、ディスクトレイ５０は、上述したように、第１の係合凹溝部５１ｃ１に弾性ガイド部１５ｈが弾性変形されて係合される。この弾性ガイド部１５ｈの係合は、弾性部１５ｈ２が第１の膨出部１５ｈ３の膨出する側に湾曲する状態で弾性変形されている。この弾性ガイド部１５ｈの弾性部１５ｈ２の弾性変形により、弾性変形による復元力が、第１の膨出部１５ｈ３および第２の膨出部１５ｈ４が互いに反対方向で第１の係合凹溝部５１ｃ１の略幅方向に沿って突っ張る状態に第１の係合凹溝部５１ｃ１の内側面に圧接する状態で作用する。このことにより、ディスクトレイ５０は、後述する移動ギヤ６３が係合する位置を中心とした回動も含めた幅方向への移動が、弾性ガイド部１５ｈの弾性変形で吸収される。さらに、第１の係合凹溝部５１ｃ１には案内リブ１５ｆ１が係合され、第２の係合凹溝部５１ｃ２には案内リブ１５ｆ２が係合され、ガイドリブ５１ｄの外面側に案内リブ１５ｆ２が略摺接する状態で係合される。これらの係合および弾性ガイド部１５ｈの弾性変形による復元力により、ディスクトレイ５０は、幅方向で移動規制されて枠体１５に進退可能に配設される。さらに、ディスクトレイ５０は、第１の係合凹溝部５１ｃ１に係合する案内リブ１５ｆ２の先端が第１の係合凹溝部５１ｃ１の底面に摺接するとともに、ガイドリブ５１ｄの外面側に略摺接する案内リブ１５ｆ２の先端がガイド鍔部５１ｃの下面に摺接する状態、すなわち２条の案内リブ１５ｆ２上に載置され、かつガイド鍔部５１ｃの上面が規制爪部１５ｉの下面に係合すなわち略摺接する状態で対向し、上下方向に移動規制されて枠体１５に進退可能に配設される。
【００３０】
そして、枠体１５には、図１ないし図３に示すように、開閉駆動配設部１５ｄに位置してディスクトレイ５０を進退移動させる搬送手段を構成する開閉駆動手段６０が配設されている。この開閉駆動手段６０は、互いに係合して開閉駆動配設部１５ｄに回転自在に軸支された、駆動伝達プーリ６１、この駆動伝達プーリ６１に係合する駆動伝達ギヤ６２、およびこの駆動伝達ギヤ６２に係合するとともに弾性ガイド部１５ｈに接触することなく駆動伝達貫通孔１６に一部が挿通してディスクトレイ５０のラッチ５１ｄ１に係合する駆動手段を構成する回転ギヤである移動ギヤ６３を有している。すなわち、弾性ガイド部１５ｈは、移動ギヤ６３を跨ぐ状態に形成されている。すなわち、第１の膨出部１５ｈ３が移動ギヤ６３の係合する位置に対してディスクトレイ５０の進退移動方向の前後で第１の係合凹溝部５１ｃ１の一内側面に当接し、これら当接する位置の間で第２の膨出部１５ｈ４が反対側の第１の係合凹溝部５１ｃ１の他内側面に当接する状態となっている。また、開閉駆動手段６０には、移動ギヤ６３とにて駆動手段を構成する電動モータである出入用電動モータ６４を備えている。この出入用電動モータ６４の出力軸６４ａには、プーリ６５が一体的に設けられている。このプーリ６５と駆動伝達プーリ６１とには無端ベルト６６が掛け渡され、出入用電動モータ６４の駆動により、プーリ６５、駆動伝達プーリ６１、駆動伝達ギヤ６２および移動ギヤ６３が回転し、ディスクトレイ５０が化粧板１３の窓部１３ａから進退可能に移動される。
【００３１】
また、開閉駆動手段６０は、枠体１５の開閉駆動配設部１５ｄに側面部１５ａの対向方向に沿って移動可能に配設された移動体としての移動カム６８を有している。この移動カム６８には、ディスクトレイの第３の係合凹溝部５１ｃ３に係合する移動規制リブ６８ａと、移動ギヤ６３に係合する移動ラッチ６８ｂと、台座部２１に一体的に取り付けられた回動案内部２２が係合する略クランク状のリンク溝部６８ｃと、などが設けられている。そして、移動カム６８は、出入用電動モータ６４の駆動にて駆動伝達ギヤ６２が回転すると、回転する移動ギヤ６３により移動カム６８が枠体１５の幅方向に沿って移動し、回動案内部２２が係合するリンク溝部６８ｃ内で摺動すなわち相対的に移動して台座部２１を枠体１５の軸方向である上下方向に回動させる。なお、移動カム６８は、ディスクトレイ５０が後退して枠体１５内に位置する状態で台座部２１を上方に回動させ、ディスクトレイ５０が進退移動する際には、本体部２０がディスクトレイ５０の進退移動する移動経路から後退する状態に台座部２１が下方に回動されてディスクトレイ５０と干渉しないようになっている。
【００３２】
さらに、台座部２１の下方への回動に伴って、移動カム６８の移動規制リブ６８ａは係合するディスクトレイ５０の第３の係合凹溝部５１ｃ３内を摺動すなわち相対的に移動する状態となり、ディスクトレイ５０の一部が若干進出する状態となる。さらに駆動伝達ギヤ６２が回転すると、移動ラッチ６８ｂと移動ギヤ６３とが外れ、移動カム６８の移動が停止し、移動ギヤ６３に係合するディスクトレイ５０が進出する状態となる。逆に、ディスクトレイ５０が後退して光ディスク２００の搬入位置である収納位置としてのホームポジションへ移動されると、第３の係合凹溝部５１ｃ３により移動規制リブ６８ａが移動されて移動ラッチ６８ｂと移動ギヤ６３とが再び係合し、台座部２１を上方へ回動させる。すなわち、移動カム６８は、移動ギヤ６３の回転による移動を、ディスクトレイ５０を異なる交差した方向であるホームポジションおよび一部が進出する状態の間における進退移動と、本体部２０を異なる交差した方向である上下方向に回動させる移動とに変換するリンク機構を備えている。そして、移動カム６８の移動方向の端部、すなわちディスクトレイ５０が収納位置で本体部２０が上方に回動された処理位置で移動カム６８が位置（図２および図３における左側）する状態で、移動端となる先端部である図２および図３における左側端面が、上ケース１１の側面操作開口部および枠体１５の貫通操作開口に対向するとともに、この左側端面の下方に下ケース１２の底面操作開口部１２ｃおよび後述する回路基板７０の貫通操作開口部７１が位置する状態に配設されている。
【００３３】
そして、上述したディスク回転駆動手段２５、処理移動手段３０、記録再生手段４０および開閉駆動手段６０により、本体部２０が構成される。また、ディスクトレイ５０と開閉駆動手段６０とにより本発明の搬送手段が構成され、ディスクトレイ５０および移動カム６８を備えた構成の開閉駆動手段６０と出入用電動モータ６４および移動ギヤ６３とにて構成される駆動手段とにより本発明の搬送部が構成される。
【００３４】
さらに、枠体１５には、図８に示すように、開閉駆動配設部１５ｄの下面に回動可能に回動操作部６９が配設されている。この回動操作部６９は、開閉駆動配設部１５ｄに突設された図示しないリブにて回動可能に軸支される略円筒状の軸支部６９ａと、この軸支部６９ａの外周面に径方向に突出し先端部に凹曲面部６９ｂ１を有した操作腕部６９ｂと、軸支部６９ａの外周面に径方向に突出する移動腕部６９ｃと、を備え、一体形成されている。そして、回動操作部６９は、凹曲面部６９ｂ１の凹面が化粧板１３の正面操作開口部１３ｄを略覆うように対向し、正面操作開口部１３ｄから挿入される操作治具としても機能する治具８０の先端部にて押し込まれる状態に回動されることで、ディスクトレイ５０の収納位置に対応した移動カム６８の移動方向の先端部となる端面に移動腕部６９ｃが当接して移動させる状態に配設されている。なお、治具８０は、例えば比較的に曲がりにくい硬質の鋼材にて細長棒状に形成されたものが利用される。そして、治具８０は、図９に示すように、上ケース１１の側面操作開口部から枠体１５の貫通操作開口を介して挿入可能で、先端部にて上ケース１１の側面操作開口部および枠体１５の貫通操作開口に対向する移動カム６８の端面に当接して押し込む状態に操作されることで、移動カム６８を移動させる。また、治具８０は、図１０に示すように、下ケース１２の底面操作開口部１２ｃから挿入可能で、先端部にて下ケース１２の底面操作開口部１２ｃおよび後述する回路基板７０の貫通操作開口部７１に上下方向で対向する移動カム６８の端面に当接して側方（図１０における右側）に押し退ける状態に操作されることで移動カム６８を移動させる。
【００３５】
また、枠体１５には、側面部１５ａ間に架橋する状態でねじにて固定される覆い体としての支持部材である回転子支持部材１７が設けられている。この回転子支持部材１７は、図１に示すように、例えば金属板がプレス加工されて形成され、周縁が一面側に拡開する状態に傾斜して略薄型皿状に形成されている。そして、回転子支持部材１７の一縁がディスクトレイ５０の載置凹部５１ａに対応する円弧状に形成され、載置凹部５１ａを略覆って光ディスク２００が収容される収容空間１８を区画形成する。また、回転子支持部材１７には、円弧状の一縁の中心と略同位置となる略中央に、ディスク回転駆動手段２５のターンテーブル２７に対向する位置に上方に向けて凹状の支持凹部１７ａが設けられている。この支持凹部１７ａの略中央には、支持孔１７ｂが開口形成されている。この回転子支持部材１７の支持凹部１７ａには、他方の挾持部材としての回転子２９が回転可能に載置されている。そして、回転子２９は、略円盤状で、外周縁が支持孔１７ｂの周縁に係合可能に形成されている。また、この回転子２９には例えば金属板などの図示しない磁性材料が一体的に取り付けられ、回転子２９はターンテーブル２７の磁石の磁力にて光ディスク２００をターンテーブル２７とにより挾持する。
【００３６】
また、枠体１５には、図１に示すように、回路基板７０が取り付けられている。この回路基板７０は、枠体１５に設けられた図１０に示すような基板取付爪部１５ｊにより係脱可能に取り付けられる。回路基板７０は、ケース体１０の下ケース１２と略同寸法の平板状で、枠体１５の下面を閉塞して本体部２０を覆うように取り付けられる。この回路基板７０には、本体部２０の動作を制御する制御回路が搭載されている。また、回路基板７０には、下ケース１２の底面操作開口部１２ｃに対応する位置に略同形状である長手状の操作開口部となる貫通操作開口部７１が穿設されている。すなわち、貫通操作開口部７１は、上述した図１０に示すように、下ケース１２の底面操作開口部１２ｃから挿入される治具８０が、挿入した先端部を回動させる操作により移動カム６８を側方へ押し退ける状態に移動させる操作が可能に形成されている。具体的には、底面操作開口部１２ｃに上下方向で対向する位置に貫通操作開口部７１が開口形成され、底面操作開口部１２ｃおよび貫通操作開口部７１が収容空間１８を介して連通する状態となっている。
【００３７】
〔ディスクドライブの動作〕
次に、上記実施の一形態におけるディスクドライブ１００の動作を説明する。
【００３８】
まず、ディスクドライブ１００に電力を供給する。そして、利用者は、化粧板１３のスイッチ操作部１３ｂを操作する。このスイッチ操作部１３ｂの操作により、回路基板７０に設けられた図示しないスイッチが開閉し、回路基板７０の制御回路が開閉駆動手段６０の出入用電動モータ６４を駆動させる。この出入用電動モータ６４の駆動により、プーリ６５、駆動伝達プーリ６１、駆動伝達ギヤ６２および移動ギヤ６３が回転し、移動ギヤ６３にラッチ５１ｄ１が係合するディスクトレイ５０が化粧板１３の窓部１３ａから進出する方向に移動する。この移動の際、開閉駆動手段６０の移動カム６８も移動し、この移動カム６８に回動案内部２２が係合する台座部２１が下方に向けて移動されて本体部２０が下方に向けて回動し、本体部２０が進出するディスクトレイ５０の移動経路から後退して干渉しないように待避する。
【００３９】
そして、ディスクトレイ５０が進出する際、枠体１５の弾性規制部１５ｇを弾性変形させつつ係合する係合凹部５１ｅが係合を解除、すなわち係合凹部５１ｅから弾性規制部１５ｇが外れる。また、ディスクトレイ５０は、第１の係合凹溝部５１ｃ１に弾性ガイド部１５ｈが第１の係合凹溝部５１ｃ１の内壁面間を広げる状態に弾性変形による復元力を作用させて係合されているので、移動ギヤ６３の回転によりディスクトレイ５０を回動させようとする反力、および移動によるディスクトレイ５０の幅方向への振動は、復元力により相殺されて弾性ガイド部１５ｈにて吸収され、弾性ガイド部１５ｈにてガタが生じずに安定して移動される。
【００４０】
この進出したディスクトレイ５０の載置凹部５１ａに光ディスク２００を、この光ディスク２００の記録面が下方に向く状態で載置する。この後、再び化粧板１３のスイッチ操作部１３ｂを操作し、開閉駆動手段６０の出入用電動モータ６４を回転駆動させ、ディスクトレイ５０を窓部１３ａ内に後退させホームポジションに位置させる。このディスクトレイ５０の後退の際、移動ギヤ６３にて移動する移動カム６８に回動案内部２２が係合する台座部２１が上方に向けて回動し、下方に待避状態の本体部２０はピックアップ４２が光ディスク２００に対向して処理位置である記録再生位置となる。この本体部２０の上方への回動により、ディスク回転駆動手段２５のターンテーブル２７の回転軸２７ａが光ディスク２００の軸孔２１０に嵌挿する。さらに、ターンテーブル２７の磁石の磁力により、ターンテーブル２７と回転子２９との間に光ディスク２００が挟持固定される。なお、この挾持する状態では、回転子２９は回転子支持部材１７から若干持ち上げられて回転子支持部材１７に接触しない状態となっている。
【００４１】
また、ディスクトレイ５０がホームポジションの位置に後退する直前では、ディスクトレイ５０の係合凹部５１ｅの凹面に枠体１５の弾性規制部１５ｇの外面が当接し、弾性規制部１５ｇが縮径する状態に弾性片部１５ｇ１が内側に倒れる状態に弾性変形する。そして、ディスクトレイ５０がホームポジションの位置に後退した状態で、各弾性片部１５ｇ１が外周側へ弾性変形による復元力を放射状に係合凹部５１ｅに作用する。このことにより、ホームポジションに位置するディスクトレイ５０は、ディスクトレイ５０の略対角の位置に配設された弾性ガイド部１５ｈおよび弾性規制部１５ｇの弾性変形による復元力にて、移動規制された状態となる。
【００４２】
この状態で、回路基板７０の制御回路が本体部２０を制御し、ディスク回転駆動手段２５の回転用電動モータ２６にて光ディスク２００を適宜回転させるとともに処理移動手段３０にて記録再生手段４０のピックアップ４２を記録面に沿って適宜移動させ、記録された情報を読み取る読取処理、あるいは情報を記録する記録処理を実施する。この光ディスク２００の回転により、ディスクトレイ５０が振動する状態に振動が発生しても、弾性規制部１５ｇおよび弾性ガイド部１５ｈによる復元力により相殺されて、振動による騒音の発生が抑制される。すなわち、ディスクトレイ５０は、ホームポジションの位置で移動ギヤ６３がラッチ５１ｄ１に係合されて進退移動可能な構成であることから、案内リブ１５ｆ１，１５ｆ２による係合状態のクリアランスおよび移動ギヤ６３の係合状態のクリアランスにより、移動ギヤ６３の係合位置を中心として回動する状態、ディスクトレイ５０の幅方向へ移動する状態、および、進退方向へ移動する状態が生じやすくなっている。ところで、振動により回動する状態あるいは進退方向へ移動する外力が作用しても、弾性規制部１５ｇは弾性片部１５ｇ１により異なる複数の方向へ復元力が作用する状態に弾性変形可能に構成されている。このことにより、外力が弾性規制部１５ｇにて吸収され、ディスクトレイ５０の振動が抑制され、振動による騒音が抑制される。
【００４３】
ここで、例えば停電などにより電力供給が停止してしまった場合、あるいはノイズまたは外部衝撃などの異常動作により、ディスクドライブ１００のスイッチ操作部１３ｂを操作してディスクトレイ５０を進出させる動作を実施できない場合には、治具８０を利用してディスクドライブ１００内に搬送されている光ディスク２００を排出させる。例えば、図９に示すように、治具８０を上ケース１１の側面操作開口部から枠体１５の貫通操作開口を介して挿入し、対向する移動カム６８の端面に当接させて押し込む状態に操作することで、移動カム６８を移動させる。また、例えば図１０に示すように、治具８０を下ケース１２の底面操作開口部１２ｃから回路基板７０の貫通操作開口部７１を介して挿入し、対向する移動カム６８の端部に当接させて側方である図１０の左側へ押し退ける状態に操作することで、移動カム６８を移動させる。さらには、図８に示すように、治具８０を化粧板１３の正面操作開口部１３ｄから挿入し、対向する回動操作部６９の凹曲面部６９ｂ１に係合させて操作腕部６９ｂを押し込む状態に操作する。この操作により、回動操作部６９が回動して回動操作部６９の移動腕部６９ｃの先端部が移動カム６８の端面に当接し、移動カム６８を押し退ける状態に移動させる。これらの移動カム６８の移動により、上述したように、移動カム６８の移動規制リブ６８ａがディスクトレイ５０の第３の係合凹溝部５１ｃ３内を相対的に摺動してディスクトレイ５０の窓閉塞板部５２側が窓部１３ａから一部進出する状態となるとともに、本体部２０が進出するディスクトレイ５０の移動経路から下方に回動されて後退する。このことにより、ディスクトレイ５０の進出する一部を引き出す操作により、光ディスク２００が取り出し可能となる。
【００４４】
〔ディスクドライブの作用効果〕
上述したように、上記実施の形態では、ケース体１０の窓部１３ａを介して光ディスク２００をケース体１０内外へ着脱可能に搬送するディスクトレイ５０を出入用電動モータ６４の駆動にて移動させて、光ディスク２００を本体部２０にて読取処理あるいは記録処理される搬入位置と窓部１３ａ側へ移動されてディスクトレイ５０の一部が進出する状態の位置との間でディスクトレイ５０を進退移動させるとともに、本体部２０を処理位置とディスクトレイ５０の移動経路より待避する後退位置との間で回動させる移動カム６８を設ける。そして、本体部２０を後退位置から処理位置へ回動させる移動カム６８の対応する移動方向における図２および図３における左側の端面に対向するケース体１０の位置に、本体部２０を処理位置から後退位置へ回動させる移動カム６８の対応する移動方向へ移動カム６８を移動させる治具８０の操作が可能に側面操作開口部および貫通操作開口と底面操作開口部１２ｃおよび貫通操作開口部７１とを開口形成している。このため、例えば回動操作部６９や手動操作による取り出しのための突起などの別部材を用いることなく、例えば図９に示すように押し込んだり、図１０に示すように押し退けたりする状態に押し込みあるいは回動操作する簡単な操作で光ディスク２００を手動により取り出して排出させることが容易にできる。さらには、押し込み操作や回動操作可能な円形あるいは長手状の比較的に小さな開口面積で開口させればよく、塵埃の侵入による誤作動や損傷などをも容易に抑制できる。
【００４５】
また、ケース体の側方および下方からの双方の治具８０による手動操作が可能に、ケース体１０の一側および下面に穿設、すなわち側面操作開口部および貫通操作開口と底面操作開口部１２ｃおよび貫通操作開口部７１との２対をそれぞれ穿設している。このため、光ディスク２００を手動操作にて取り出すための操作方法の選択性が増大し、使い勝手を向上でき、デザイン自由度も向上できる。
【００４６】
そして、本体部が処理位置に略位置する対応した移動カム６８の位置における移動カム６８の左側の端部に対向する位置に、側面操作開口部および貫通操作開口と底面操作開口部１２ｃおよび貫通操作開口部７１とを開口形成している。このため、移動カム６８の移動に伴ってディスクトレイ５０の一部が進出するので、移動カム６８の移動量が少なくなり、治具８０の手動操作による効率的な光ディスク２００の取り出しができる。
【００４７】
また、移動カム６８のケース体１０における幅方向への移動方向に沿った延長線上で移動カム６８の移動方向の先端部となる左側に対向する位置、すなわちケース体１０の一側面である左側の側面、具体的には上ケース１１の左側の側板部１１ｂにおける対応する位置および枠体１５の左側の側面部１５ａにおける対応する位置に、それぞれ対応して側面操作開口部および貫通操作開口を穿設している。このため、治具８０の移動カム６８を移動させる手動操作が押し込む操作となり、極めて容易にできるとともに治具８０の軸方向に押圧力が作用する状態となるので、治具８０の材料や形状設定などが容易にでき、治具８０の製造性も向上できる。
【００４８】
さらに、移動カム６８のケース体１０における幅方向への移動方向に対して交差する方向のケース体１０の位置、すなわち上下方向に沿った移動カム６８の左側の端面に対応する位置、具体的には、上ケース１１の側面操作開口部に前後方向で対応した下ケース１２の前側で上下方向で移動カム６８の左側の端面に対向する位置に底面操作開口部１２ｃを開口形成するとともに、回路基板７０の対応する位置に貫通操作開口部７１を開口形成している。このため、治具８０の移動カム６８を移動させる手動操作が押し退ける回動操作となり、容易にできる。
【００４９】
そして、これら底面操作開口部１２ｃおよび貫通操作開口部７１を、挿入される治具８０の先端部が移動カム６８の左側の端面に当接されて本体部２０が下方に回動される後退位置である待避位置へ移動させるための対応した移動カム６８の移動方向、すなわち右側へ移動させることが可能となる状態に穿設している。具体的には、ホームポジションの位置に対応した移動カム６８の左側の端面に上下方向で対向する位置で、移動カム６８の移動方向である左右方向に長手状に穿設している。このため、最小限の開口面積でかつ少ない移動量で治具８０の手動操作による効率的な光ディスク２００の取り出しができる。また、長手状に形成しているため、開口縁に治具８０の回動操作が案内される状態となり、より容易に手動操作できる。さらには、長手方向の両側縁が略平行となる状態に形成しているため、開口縁に治具８０の回動操作がより確実に案内されることとなり、さらに容易に手動操作できる。
【００５０】
また、移動ギヤ６３にて移動されるディスクトレイ５０の前後方向となる進退移動および本体部２０の上下方向となる回動を、移動ギヤ６３にてケース体１０の幅方向に移動されることで実施させるリンク機構を備えた移動カム６８を、治具８０により移動させるので、手動操作による光ディスク２００の取り出しが、突起や回動操作部６９などの他の部材を設けることなく確実に実施できる。すなわち、リンク機構によりディスクトレイ５０を移動させる方向および本体部２０を回動させる方向と異なる方向に移動される移動カム６８の移動方向に対応した位置に、治具８０を挿入して移動操作可能に穿設しているため、他の部材を利用することなく容易に手動操作による光ディスク２００の取り出しができる。
【００５１】
特に、ディスク状記録媒体である光ディスク２００を処理する構成で、搬送される光ディスク２００に干渉しない、具体的には、光ディスク２００を搬送するディスクトレイ５０が進退移動する際に本体部２０が干渉しないように上下方向に回動する構成であることから、ディスクトレイ５０の進退移動と本体部２０の回動をリンクさせるために移動カム６８を利用する構成に適用している。このため、例えば単にディスクトレイ５０を移動させる操作はなく、リンク機構の移動カム６８を移動させる構成であることから、手動操作による操作力が本体部２０をも間接的に移動させるためにディスクトレイ５０に作用することで損傷するなどのおそれがなく、他の部材を利用することなく容易な操作で手動操作による光ディスク２００の取り出しが良好にできる。
【００５２】
また、搬送される光ディスク２００が存在することから、光ディスク２００に略対向する内面に対応するケース体１０の面ではない、側面および下面に設けているので、光ディスク２００に治具８０が損傷することなく光ディスク２００を取り出すための良好な手動操作ができる。
【００５３】
さらに、ディスクトレイ５０が進退する正面にも治具８０を操作可能な正面操作開口部１３ｄを設けるとともに、この治具８０の押し込み操作でも移動カム６８を移動させることを可能とする、すなわち前後方向に作用する押し込み力を幅方向へ変換するための回動操作部６９を設けている。このため、ディスクドライブ１００の正面からも操作でき、光ディスク２００を手動操作にて取り出すための操作方法の選択性がさらに増大し、より使い勝手を向上できる。
【００５４】
〔実施の形態の変形〕
なお、本発明は、上述した実施の一形態に限定されるものではなく、本発明の目的を達成できる範囲で以下に示される変形をも含むものである。
【００５５】
すなわち、本発明の処理装置としては、上述したように、光ディスク２００を対象とした構成に限らず、磁気ディスク、光磁気ディスクなど、光や磁気などにより情報を再生あるいは記録可能ないずれのディスク状記録媒体を処理するディスクドライブ１００を対象とすることができる。また、ディスク状記録媒体に限らず、例えば外周面に記録面を有する円筒状の記録媒体など、いずれの形状の記録媒体を処理するドライブをも対象とすることができる。さらに、上述したようにディスクトレイ５０を備えないいわゆるスロットインタイプのディスクドライブやスリムドライブなどにも適用できる。この場合においても光ディスク２００の搬送に対応して本体部２０が移動経路に進退するリンク機構を備えた構成すなわち移動カム６８に対応する部材を備えた構成であればよい。また、例えば工作機械や塗装などの表面処理装置など、被搬送物を加工などの処理する位置に搬送するための構成に適用してもよい。
【００５６】
そして、例えば底面操作開口部１２ｃの開口縁に、図１１に示すように、内周面が略連続する状態に筒状の操作ガイド部８５を設けてもよい。この操作ガイド部８５は、挿入した治具８０の先端部が移動カム６８を押し退ける状態に移動させる回動操作が可能に先端部を回動させる側が軸方向で短く形成され、反対側は回動を規制する状態に軸方向で長く形成している。このため、挿入された治具８０が他の部位を押し付けたり押し退けたりする誤操作を抑制できる。特に、一連に形成することで、下ケース１２を金属製とすることで、プレス加工にて底面操作開口部１２ｃの穿設加工と一連に操作ガイド部８５を形成でき、製造性を向上できる。
【００５７】
また、ケース体１０に設ける操作開口部として、移動カム６８の移動方向における先端部である左側の端面に対向する位置、具体的には上ケース１１の左側の側板部１１ｂにおける対応する位置および枠体１５の左側の側面部１５ａにおける対応する位置にそれぞれ対応して側面操作開口部および貫通操作開口を穿設する場合には、例えば回動操作部６９の凹曲面部６９ｂ１の様な凹曲面となる係合凹部を、側面操作開口部および貫通操作開口に対向する移動カム６８の端面位置に設けてもよい。この構成により、治具８０が多少傾いて挿入されても、確実に移動カム６８の端面に当接して押し込み操作力を作用させることができ、手動操作が容易にできるとともに、治具８０が他の部位を押し付けてしまうなどの誤操作を抑制でき、誤操作による損傷をも抑制できる。
【００５８】
さらに、回動操作部６９を設けて説明したが、設けない、すなわちケース体１０の側方や下方から治具８０を操作して移動カム６８を移動させる構成としてもよい。この構成により、正面となる前面の化粧板１３に正面操作開口部１３ｄが開口せず、美観を向上できる。また、側方のみあるいは下方のみのいずれか一方のみ穿設した構成としてもよい。そして、上ケース１１および下ケース１２と移動カム６８との間に介在物がなければ、単に上ケース１１のみあるいは下ケース１２のみに穿設した構成、すなわち枠体１５や回路基板７０にも穿設する必要はない。さらには、例えば光ディスク２００が本体部２０に対して下方で進退するような場合には、底面操作開口部１２ｃを上面すなわち上ケース１１の天板部１１ａに穿設したり、移動カム６８が逆方向で移動する場合には側面操作開口部を右側に設けたり、移動カム６８が前後方向に移動する場合には、正面または背面に設けたりしてもよい。すなわち、移動カム６８の移動方向に対応して設けてもよい。また、移動体として、直線的に移動する構成に限らず、屈曲あるいは複数方向へ切り替わって移動するなどの構成でも、例えばホームポジションへ被搬送物を搬入させるための移動体の移動方向の先端部に対向する位置に、被搬送物がホームポジションから排出させる方向へ移動させるための移動方向へ移動体を移動させる治具８０の操作ができる操作開口部を形成すればよい。
【００５９】
そして、ケース体１０の下面に穿設する底面操作開口部１２ｃとして、ホームポジションとなる対応した移動カム６８が位置する状態での左側の端面に対向する位置に穿設して説明したが、例えば移動経路上のいずれに位置した状態で左側の他面に対向する位置に設けてもよい。具体的には、上述した実施の形態では、軸方向が前後方向に沿う状態に治具８０を挿入して傾く状態に回動操作して移動させる操作で説明したが、治具８０を斜めに挿入して移動カム６８の端部に当接させて軸方向が前後方向に沿う状態に回動させて移動させる操作となる位置に穿設してもよい。
【００６０】
その他、本発明の実施の際の具体的な構造および手順は、本発明の目的を達成できる範囲で他の構造などに適宜変更できる。
【００６１】
〔実施の形態の効果〕
上述したように、ケース体１０の窓部１３ａを介して光ディスク２００をケース体１０内外へ搬送するディスクトレイ５０を出入用電動モータ６４の駆動にて移動させて、光ディスク２００を本体部２０にて読取処理あるいは記録処理される搬入位置と窓部１３ａ側へ移動されてディスクトレイ５０の一部が進出する状態の位置との間でディスクトレイ５０を進退移動させるとともに、本体部２０を処理位置とディスクトレイ５０の移動経路より待避する後退位置との間で回動させる移動カム６８を設ける。そして、本体部２０を後退位置から処理位置へ回動させる移動カム６８の対応する移動方向における左側の端面に対向するケース体１０の位置に、本体部２０を処理位置から後退位置へ回動させる移動カム６８の対応する移動方向へ移動カム６８を移動させる治具８０の操作が可能に、側面操作開口部および貫通操作開口と底面操作開口部１２ｃおよび貫通操作開口部７１とを開口形成している。このため、例えば回動操作部６９などの部材を用いることなく、例えば押し込んだり押し退けたりする状態に押し込みあるいは回動操作する簡単な操作で光ディスク２００を手動により取り出して排出させることが容易にできる。
【図面の簡単な説明】
【００６２】
【図１】本発明における実施の一形態に係るディスクドライブの概略構成を示す分解斜視図である。
【図２】前記実施の一形態における開閉駆動手段が配設された枠体およびディスクトレイを示す分解斜視図である。
【図３】前記実施の一形態における開閉駆動手段が配設された枠体をディスクトレイとの関係で示す平面図である。
【図４】前記実施の一形態における弾性規制部に係合凹部が係合した状態の一部を切り欠いた平面図である。
【図５】前記実施の一形態における開閉駆動手段が配設された枠体およびディスクトレイの弾性ガイド部近傍を示す一部を切り欠いた分解斜視図である。
【図６】前記実施の一形態における開閉駆動手段が配設された枠体をディスクトレイとの関係で弾性ガイド部近傍を示す一部を切り欠いた平面図である。
【図７】前記実施の一形態における弾性ガイド部の第１の係合凹溝部内に係合された状態を示す説明図である。
【図８】前記実施の一形態における回動操作部が配設された枠体を示す平面図である。
【図９】前記実施の一形態における側面操作開口部から挿入した治具にて移動カムを移動させる操作状況を説明する開閉駆動手段が配設された枠体を示す平面図である。
【図１０】前記実施の一形態における底面操作開口部から挿入した治具にて移動カムを移動させる操作状況を説明する開閉駆動手段が配設されたディスクドライブを示す一部を切り欠いた正面図である。
【図１１】本発明の他の実施の形態に係る治具にて移動カムを移動させる操作状況を説明する底面操作開口部近傍を示す一部を切り欠いた断面図である。
【符号の説明】
【００６３】
１０………ケース体
１２ｃ……操作開口部としての底面操作開口部
１３ａ……開口部としての窓部
１３ｄ……第２の操作開口部としての正面操作開口部
２０………処理部としての本体部
５０………搬送手段を構成する搬送体としてのディスクトレイ
５１ｄ１…ラッチ
６０………搬送手段を構成する開閉駆動手段
６３………駆動手段を構成する回転ギヤとしての移動ギヤ
６４………駆動手段を構成する電動モータである出入用電動モータ
６８………搬送部を構成する移動体としての移動カム
６９………回動操作部
８０………操作治具としての機能する治具
８５………操作ガイド部
１００………処理装置としてのディスクドライブ
２００………被搬送物であるディスク状記録媒体としての光ディスク
【図１】
2006114138.tif 000003
【図２】
2006114138.tif 000004
【図３】
2006114138.tif 000005
【図４】
2006114138.tif 000006
【図５】
2006114138.tif 000007
【図６】
2006114138.tif 000008
【図７】
2006114138.tif 000009
【図８】
2006114138.tif 000010
【図９】
2006114138.tif 000011
【図１０】
2006114138.tif 000012
【図１１】
2006114138.tif 000013